(57)【要約】      （修正有）【課題】牛乳パックや通販用の段ボール箱など紙容器は、使用後に平板状にして資源ゴミとして廃棄することが望まれているが、通常のカッターナイフやハサミでは容器の角縁を真直ぐに切断することが難しい。その為、多くの専用器具が考案されているが、切刃と紙容器の相対位置や相対角度が安定せず、期待通りの効果が出ていない。簡単に、且つ緩慢な操作でも確実に切断できる紙容器切開用カッターを提供する。【解決手段】本発明では、逆Ｌ字状に組まれた案内板２枚を紙容器角縁の交叉側面に当接させ、弓形の切刃を一方の案内板に対して傾斜させることで、切開作業中に切刃が紙容器角縁近傍から浮き上がる、或いは、離脱することを回避する。また、弓形切刃が持つ特性を最大限に生かすことで、作業の安定性を格段に増している。【選択図】図１
2019180447.tif 000002
【特許請求の範囲】
【請求項１】
紙容器の角縁の左右交叉面部に当接し該角縁に沿って摺動自在な逆L字状に組まれた案内板２枚を有し、半円より小さく円弧の全周が刃先である弓形の切刃が、逆L字凹部の谷底線に沿って一方の案内板に垂直に突設され、且つ、該切刃の側面と他方の案内板で成す間隔が、紙容器の紙厚より僅かに広い幅を確保しつつ、切開の進行方向に向かって徐々に拡がるように傾斜して突設されていることを特徴とする紙容器切開用カッター。
【請求項２】
切刃が突設された方の案内板が把持体と一体になり、案内面付き把持体として形成されていることを特徴とする請求項１記載の紙容器切開用カッター
【請求項３】
切刃と、切刃が突設されていない方の案内板で成す間隔の幅を変更できることを特徴とする請求項２記載の紙容器切開用カッター。
【請求項４】
切刃が突設されていない方の案内板が略透明で、切刃と紙容器の相対位置や相対角度を視認することが可能であることを特徴とする請求項１、２、３記載の紙容器切開用カッター
【発明の詳細な説明】
【技術分野】
【０００１】
本発明は、牛乳や酒類などの紙容器、 各種商品のパッケージ用の紙容器、また、近年急激に増加している通信販売の配送用の段ボール箱など、略直角に交叉する側面を有する紙容器の角縁近傍を安全かつ容易に切り開くカッターに関するものである。
【背景技術】
【０００２】
空になった紙容器は、資源ゴミとしてリサイクル廃棄に出すか、或いは、通常のゴミとして廃棄することになるが、嵩張るため、平板状に切開し重ねた上で廃棄することが望まれる。  特に牛乳パックをリサイクル廃棄する場合は、平板状にすることが、資源リサイクル業者による回収の必須条件となっている。    
【０００３】
その為、紙容器の角縁或いは角縁近傍を切断することが必要になるが、通常のカッターナイフやハサミを使って、蛇行せず真直ぐに切断することは容易でなく、多くの家庭で敬遠されがちな作業となっている。  その為、例えば牛乳パックの切開を主たる目的とした多くの先願技術があり、一部は商品化され市販されているものの、期待通りの効果があるとは言い難い状況である。  
【０００４】
また、カッターナイフを使った切断作業において、切刃の蛇行問題以外にも、切断作業の進行に従い、次第に切刃が浮き上がり、最悪、紙容器から外れ、切断作業が継続出来ないという問題も発生している。  これらの現象は、突き詰めれば、切断作業の開始から終了までの間、切断箇所における切刃と紙容器の相対位置や相対角度を安定的に維持することが極めて困難である為に発生していると考えられる。
【０００５】
その困難さの主たる原因になっているのが、作業者のカッターナイフ操作時の人間工学的な動的不安定さと、切断前と切断後の紙容器側面の挙動が大きく変化し、また予測出来ないという二つの要素があると考えられる。前述の如く多くの先願技術があるが、これらの問題を有効に取り除く解決手段を提供していない。
【０００６】
カッターナイフ操作時の人間工学的な動的不安定さとは、人間の手首や肘の関節の可動域、また筋肉の伸縮方向などに起因する問題を云う。  作業者がカッターナイフを手で握り紙容器の角縁に沿って手前方向に摺動させようとする時、肩を中心とした上腕の回転運動を行うが、最終的には、この回転運動を直線運動に変換する必要がある。  しかし、上腕から下腕部に動きを伝える肘、また手首の関節や筋肉の構造が影響し、数十センチの作業距離全域に亙り、精度良く直進運動に変換することは、現実的に非常に難しく、本人が意識しないうちに、切刃が紙容器から離れる方向にカッターナイフを動かしてしまう現象が発生する。  その為、多くの先願技術では、切刃と紙容器の相対位置を一定に維持する方策として、紙容器の角縁の左右の交叉側面に外側から当接する略L字型案内板をカッターナイフに具備させるという形態を提案している。
【０００７】
然しながら、略L字型案内板を紙容器の左右交叉側面の外側に当接させれば、確かに切刃が過度に紙容器に侵入しないよう制御できるものの、略L字型案内板は切刃の浮き上がり（離脱）現象を制御する機能は全く有しておらず、解決策としては充分ではないと云わざるを得ない。作業者が無意識に行ってしまう腕や手首の動きを規制し、浮き上がり（離脱）現象を回避或いは軽減する為の方策が必要である。  
【０００８】
既存のカッターナイフは、切断作業の開始時点で、切刃を紙容器の切断部位へ押し当て、挿し込むことを前提としている。  しかし現実には、空箱となった紙容器は極めてひずみ易く、僅かな外力でも変形してしまう為、切刃を挿し込む最初の作業さえ容易でない問題がある。
【０００９】
加えて、紙容器の素材や状態(乾燥度など）によるが、紙容器の切断作業が進行するに従って、略直角に交叉する側面どうしが3次元的に支えあう力の均衡が破れ、切断され分離された左右の側面が、ばらばらに挙動を始め、切断部位を揺動させるという連鎖現象を起こしてしまう。  切断速度に拘わらず安定した切断を継続する為には、切断され分離された左右の側面を出来るだけ切断前の原状に近い位置関係で保持し、切刃と角縁或いはその近傍との相対位置や相対角度を安定させることが必須である。  この点、先願技術では、紙容器の形状変化に対する方策が充分に取られているとは言い難い。
【００１０】
前項で示された問題は、略L字型案内板の谷底線に沿って、各案内板から等角度（略４５度）の方向に切刃を突設させたカッターナイフの場合（先願技術の例として、特開平０９−１９３９９６がある）、特に悪化する。つまり、作業者は紙容器の対角線方向に力を加えながら、角縁部そのものを切断することになるが、切断と同時に、両側面が対角線方向の外力で切刃側面に沿って紙容器の内側に垂れるように湾曲し、切断直前の角縁部位を紙容器内部方向に引きずり込む現象が発生する。  この現象で、切刃が角縁部から外れる結果となり、スムーズな切断作業を継続出来ないケースが多発する。
【００１１】
以上に述べた通り、人間工学的にカッターナイフを直線的に摺動させることが難しいことから、作業者は、手首や肘関節の動きの影響を避ける為に、強い力で、一気に切刃を動かす場合が多い。  強い力で一気に切断する方法は、予期せぬ事故を起こす可能性も大きくなり、安全性の面からも、小さな力で、緩慢な動きでも安定して直線に切断出来るカッターが切望されている。
【先行技術文献】
【特許文献】
【００１２】
【特許文献１】特許  ３９４０１１０
【特許文献２】特許  ４０９３９８４
【特許文献３】特許  ４７６７４４９
【特許文献４】特開平０９−１９３９９６
【特許文献５】特開  ２０００−２２９１８２
【特許文献６】特開  ２０００−２８８２７０
【特許文献７】特開  ２００１−２５９２５７
【特許文献８】特開  ２００２−１７７６７１
【特許文献９】特開  ２００４−１８１１７５
【特許文献１０】特開  ２００５−３０５０５１
【特許文献１１】特開  ２００９−１３１６０５
【特許文献１２】特開平３−２４４４９０
【非特許文献】
【００１３】
【非特許文献１】実用新案  第２５６１５９８号
【非特許文献２】実用新案  第２６０６２１１号
【非特許文献３】実用新案  第３１３７４５８号
【非特許文献４】実用新案  第３１４０５８４号
【非特許文献５】実用新案  第３１８２４１６号
【非特許文献６】実用新案  第３１９８９３４号
【非特許文献７】実願平３−８９３１４号
【発明の概要】
【発明が解決しようとする課題】
【００１４】
略直角に交叉する側面を有する紙容器やその一部、或いは略直角に折り曲げられた板状の紙素材の角縁或いはその近傍を、角縁長手方向に直線的に切断するカッターで、紙容器の素材に拘わらず小さな力で緩慢に動かしても安定して切断作業が継続でき、且つ、作業者の指などが切刃部分に偶発的に接触する可能性を出来る限り小さくしたカッターを提供する。
【課題を解決するための手段】
【００１５】
本発明の紙箱切開用カッターは、紙容器の角縁を形成する左右側面それぞれに接する案内面付き把持体（以下、  当該案内面については、把持体案内面と称す）及び逆L字状を成すように把持体上部から張り出すもうひとつの案内板（以下、上部案内板と称し、把持体案内面と区別する）を有し、その凹部の谷底近傍に切刃として円形刃の一部分を、紙容器に対する切り込み角度が鋭角になるように円弧状に突設させた構成とする（以下、半円より小さく円弧状に露出する部分のみを弓形切刃と称す）。  
【００１６】
弓形切刃の円弧の中心点は、案内面付き把持体の内側に位置することになる。  円形刃を回転式とすると、円形刃の刃先と紙容器表面の間の摩擦抵抗がほとんどなくなり（滑る状態に近い）、切断開始時の初期切り込みが極めて困難となる。  その為、意図的に円形刃を固定させ、適度な摩擦抵抗を生じさせて切り込みやすくする。
【００１７】
弓形切刃は、把持体案内面に対し垂直（弓形切刃側面と案内面の角度が９０度となる）に突設させるものとする。
【００１８】
また、弓形切刃は、その側面と上部案内板の間隔が紙容器の紙厚より僅かに広い間隔を持たせて突設するが、把持体案内面に対して垂直を維持しながら、上部案内板に対しては僅かに傾斜させ、案内板との間隔が、切断作業方向に向かって徐々に拡がるようにする。  
【００１９】
紙容器の素材寸法（紙厚）や物性の相違で、弓形切刃と上部案内板の間隔の最適幅が変わる為、その幅を調整可能なように間隔調整機能を持たせる。
【００２０】
手首関節の動きを規制することで、切断作業時のカッターと紙容器の相対位置関係が格段に安定することから、案内面付き把持体の形状は、片手の手のひらと指で包み込むように把持出来る厚さと長さを有するものとする。一方、上部案内板は、比較的薄くかつ略透明の素材にすることも可能とする。
【発明の効果】
【００２１】
弓形切刃とその取り付け方法、案内面付き把持体の形状及び上部案内板の存在による相乗効果で、紙容器切断作業における諸問題を顕著に、且つ総合的に解決することが出来る。  本願の紙容器切開用カッターが実現する効果とは、次の通りである。  
【００２２】
本願の紙容器切開用カッターの切刃は、弓形切刃側面と上部案内板の間隔が、切断方向に向かって徐々に拡がるように傾斜させて突設してある。  その為、作業者が本願カッターを手前方向に摺動させると、弓形切刃が下方方向に進行するような応力が発生し、作業者の手首や肘の関節の構造に起因する無意識の上方方向への動きを抑える効果が生じる。その結果、紙容器側面（把持体案内面に当接している面）を上方に押し上げる現象が生じるが、上部案内板の存在がある為、紙容器の上方への移動は規制され、常に紙容器側面が上部案内板にしっかりと当接する状態が維持されることになる。  これにより、弓形切刃が浮き上がり紙容器から外れてしまう問題が顕著に解決される。
【００２３】
本願の紙容器切開用カッターは、角縁部そのものを切断するものでなく、角縁の近傍で把持体案内面に当接した側面を切断するものである。つまり、弓形切刃側面と上部案内板の間には、角縁を含めた紙容器側面が挟まれる形となるが、角縁が残っていることから三次元の構造強度が保たれ、（上部案内板に当接した）側面の変形、特に下方方向への垂れ込みが解消される効果がある。  また、把持体案内面に当接した紙容器側面に関しては、作業者によるカッターナイフの紙容器に対する押付け圧力は、基本的に紙容器側面（上部案内板に当接する面）が平面方向で全て受け止めカッターナイフの横方向の移動を規制する形になる為、紙容器側面（把持体案内面に当接する面）が紙容器内部方向に押し込まれる現象が発生せず、従い弓形切刃と紙容器の相対角度や相対位置が安定的に維持される。  言い換えれば、弓形切刃と紙容器側面に間隙が生じることなく、安定して切断作業を継続出来る効果を
生じる。
【００２４】
本願で使用する弓形切刃は、その形状の特徴として直線型或いは三角形型切刃に比較して、同じ刃高（具体的には把持体案内面から一番高い刃先部分）でも、極めて大きな刃幅（具体的には把持体案内面に接している底辺部分）を確保できる。
大きな刃幅により、切断後の紙容器左右側面（紙厚の断面）との接触面積が大きくなるが、当該接触面積が大きくなればなるほど、紙容器内部からの案内板としての機能も有効に働き、直進性を顕著に改善する効果がある。
ちなみに、市販されている一般的な寸法比率を持つ直線型或いは三角形型切刃で、弓形切刃と同等程度の刃幅を確保しようとすると、刃高が極めて高くなるが、本願のように弓形切刃にすることにより、刃高を低く抑えることが可能で安全性が格段に改善される効果がある。ちなみに、指先が接触しやすい刃体部位は、直線型或いは三角形型刃体の場合、鋭利な刃先であるが、弓形切刃の場合は円弧の頂点接線部分であり、例え接触しても損傷の度合いは極めて小さく安全性が高い。
【００２５】
カッターナイフに装着される案内板或いは案内面は、操作に支障が出来ない限り、出来るだけ大きな面積とする方が、より効果的である。本願の紙容器切開用カッターは、把持体を手の平と指で包み込むように握る形状の為、上部案内板をかなり大きな寸法にしてもカッターナイフ全体の操作性に影響する動的静的バランスが崩れる懸念は皆無である。  その為、充分に大きい上部案内板とすることで、案内板としての機能が大きくなり、更には、弓形切刃に指先が偶発的に接触する事故を最小限に抑えることを可能としている。  
【００２６】
。
本願の紙容器切開用カッターの弓形切刃は、その円弧部分すべてが刃先となっている。その為、角縁方向に沿って往復運動させることも可能であり、特に切断作業開始時において、弓形切刃を紙容器に当て、ゆっくりと往復運動させれば、僅かな力で初期の切り込みが可能である。  これは、一般家庭で、特に主婦が安全を考慮し作業する場合に、極めて大きな利点である。  
【００２７】
先述のように、本願の紙容器切開用カッターは、紙容器の左右側面を常に把持体案内面及び上部案内板に当接させ、切刃と紙容器の相対位置や相対角度を安定して維持する効果を有し、小さな力で緩慢な速度でも安定して切断作業が継続できることを実現している。
【００２８】
更に、本願の紙容器切開用カッターでは、上部案内板と弓形切刃の間隔を調整可能な構造としている。  その為、刃高の範囲の中で、多様な紙厚の紙容器の切断に使用することが可能である。また、上部案内板を透明の素材にすると、作業前のセッティングや、弓形切刃が紙容器に摺接していることをリアルタイムで確認すること出来るため、作業精度が大きく改善され、また作業者に安心感を与える効果がある。
【発明を実施するための形態】
【００２９】
以下、本発明の実施の形態を、図面に基づき説明する。  
図１は、本発明による紙容器切開用カッター（以下  本発明品と称する。）を示す透視斜視図である。  図２は、本発明品の正面図である。  図３は、本発明品の平面図である。  図４は、本発明品の左側面図である。  図５は、本発明品の右側面図である、  図６は、本発明品の底面図である。  図７は、本発明品の背面図である。
【００３０】
本発明品は、図８及び図９で示すように５つの部品で構成されている。  図中  符号１−ａは、案内面付きの把持体を示し、１−ｂが、その案内面部分を示している。符号２は、もう一方の案内板で、把持体の上部に取り付けられ、把持体の案内面とともに逆Ｌ字状を成し、紙容器角縁の左右交叉面に当接する。  前述の通り、略透明の素材を使用すると作業の安全性や効率が格段に向上するが、本形態では、不透明な素材を使用する前提とした。  符号３は、弓形切刃であるが、製造コストを勘案し汎用型の円形刃を使い、その中心を把持体に埋設する方法で、弓形切刃を突設させる形態としている。  符号４は、弓形切刃と符号２の上部案内板の間隔を維持するための間隔調整板であり、円形刃の固定を兼ねている。  符号５は、案内面付き把持体に、符号２，３及び４を取り付け固定する為の組立用化粧ネジ（オス）である。
【００３１】
図１０は、符号１−ａ/ｂの案内面付き把持体のみの斜視図である。図１１は、案内面付き把持体のみの正面図、また図１２は、同平面図を示すが、把持体の上面に円形刃を装着させる為の傾斜凹部が設けられている。  また、組立用化粧ネジの為のネジ穴（メス）が設けられている。
【００３２】
図１３は、符号４の間隔調整板のみの斜視図である。  図１４は、間隔調整板の正面図、また図１５は、同平面図を示すが、組立用化粧ネジ用の孔とともに、下面には、前項の円形刃用傾斜穴に挿入される傾斜凸部が設けられており、挿入された円形刃をしっかり押さえて固定するようになっている。  間隔調整板は、切断する紙容器の紙厚によって適時交換できるように取り外し可能なものとしている。  
【００３３】
図１６は、符号２の上部案内板のみの斜視図である。  図１７は、上部案内板の正面図、また図１８は、同平面図を示す。前述の通り、本形態では、不透明な素材として
組立用化粧ネジ用の孔が設けられている。
【００３４】
図１９Ａ及び１９Ｂで、弓形切刃が傾斜装着された状態を示す。弓形切刃と上部案内板の間隔が右から左に行くに従い狭くなることを示している。切断作業に当たっては、カッターは図の右手方向に移動するが、この傾斜により紙容器を上方に押し上げる効果が生じる。  傾斜角度は、紙容器の素材や状態によって最適値が変わるが、
概ね０．０１度から３度程度の間で調整されることになる。
【００３５】
化粧ネジ以外の各部品の材質は、案内面付き把持体及び上部案内板はプラスチック、また弓形切刃（円形刃）はステンレス若しくはセラミックとなる。  ただ、案内面付き把持体は、本発明品の用途が資源リサイクルに深く関連する為、廃材を利用した木製とすることも一案である。
【００３６】
図２０は、使用状況を示す。図では、本発明品を把持する手のみが示されているが、実際の作業では、もう片方の手で、紙容器を押さえる形となる。従って、全体的なサイズとして、把持体は長さ８センチ〜１１センチ程度、幅２．５センチ〜４センチ程度、また厚さ２．５センチ〜３．５センチ程度の大きさとなる。  また、円形刃の直径は、２０ミリ〜３０ミリ程度、刃厚  ０．２ミリ〜０．５ミリ程度とし、弓形刃の突設位置は、把持体の中央部より前方、つまり作業者の指先に近い部分として操作性を高めた。上部案内板は、全体的な形状及び重量のバランスも考慮し、厚さ２ミリ〜４ミリ程度、また縦横  ５０ミリと７０ミリ程度の大きさとした。
【００３７】
以上、本発明の実施形態を例示したが、本発明はこれらの実施形態に限定されるものでなく、発明の目的を逸脱しない限り任意の形態とすることができることは云うまでもない。
【図面の簡単な説明】
【００３８】
【図１】本発明品の透視斜視図である。
【図２】本発明品の正面図である。
【図３】本発明品の平面図である。
【図４】本発明品の左側面図である。
【図５】本発明品の右側面図である。
【図６】本発明品の底面図である。
【図７】本発明品の背面図である。
【図８】本発明品の斜め上方から見た斜視図で、符号が付記してある。
【図９】本発明品の斜め下方から見た斜視図で、符号が付記してある。
【図１０】本発明品の部品である案内面付き把持体の斜視図である。
【図１１】案内面付き把持体のみの正面図である。
【図１２】案内面付き把持体のみの平面図である。
【図１３】本発明品の部品である間隔調整板の斜視図である。
【図１４】間隔調整板のみの正面図である。
【図１５】間隔調整板のみの平面図である。
【図１６】本発明品の部品である上部案内板の斜視図である。
【図１７】上部案内板の正面図である。
【図１８】上部案内板の平面図である。
【図１９Ａ】案内面付き把持体の正面図の中で弓形切刃の部分を示すものである。
【図１９Ｂ】図１９Ａで示された部分に符号と付記したものである。
【図２０】本発明品の使用状態を示すものである。
【符号の説明】
【００３９】
１−ａ    案内面付き把持体
１−ｂ    案内面付き把持体の案内面の部位
２        上部案内板
３        弓形切刃  （円形刃の一部）
４        間隔調整板
５        組立用化粧ネジ
【図１】
2019180447.tif 000003
【図２】
2019180447.tif 000004
【図３】
2019180447.tif 000005
【図４】
2019180447.tif 000006
【図５】
2019180447.tif 000007
【図６】
2019180447.tif 000008
【図７】
2019180447.tif 000009
【図８】
2019180447.tif 000010
【図９】
2019180447.tif 000011
【図１０】
2019180447.tif 000012
【図１１】
2019180447.tif 000013
【図１２】
2019180447.tif 000014
【図１３】
2019180447.tif 000015
【図１４】
2019180447.tif 000016
【図１５】
2019180447.tif 000017
【図１６】
2019180447.tif 000018
【図１７】
2019180447.tif 000019
【図１８】
2019180447.tif 000020
【図１９Ａ】
2019180447.tif 000021
【図１９Ｂ】
2019180447.tif 000022
【図２０】
2019180447.tif 000023